【手続補正書】
【提出日】平成18年10月31日(2006.10.31)
【手続補正１】
【補正対象書類名】特許請求の範囲
【補正対象項目名】全文
【補正方法】変更
【補正の内容】
【特許請求の範囲】
【請求項１】
（ｉ）第１の端部及び第２の端部を有する細長い体部と、（ｉｉ）前記体部から突き出ている複数の逆刺とを有しており、各逆刺は一方向に向いていると共に、組織内において逆刺が向いている方向と反対の方向への縫合糸の動きに逆らうようにされている人や動物の組織を接続するための逆刺付き縫合糸において、
前記逆刺が前記体部上で、ツイスト切り込み多重スパイラル逆刺配列（６７、７７、７８）、重複逆刺配列（１３５）、ランダム逆刺配列（９７）、及びこれらの組み合わせからなる群より選択された配列を有し、
前記重複逆刺配列（１３５）が、１つ（１３５）が上に重なり、１つ（１３５）が下に重なっている少なくとも２つの隣接する逆刺（１３５）に関して、前記上に重なっている逆刺が１つの下面（ＵＳ）を有し、前記下に重なっている逆刺が１つの上面（ＴＳ）を有しており、前記上に重なっている逆刺（１３５）の前記下面（ＵＳ）の一部は前記下に重なっている逆刺（１３５）の前記上面（ＴＳ）の一部から派生しているようになっており、
前記ランダム逆刺配列（９７）が、該縫合糸の本体部に沿った逆刺（９７）の半径方向及び長手方向の相対的間隔がランダムであるようになっており、前記逆刺（９７）が少なくとも１つの逆刺（９７）を含むランダムな方向を向いており、前記少なくとも１つの逆刺の長手方向の軸が前記縫合糸の本体部の長手方向の軸と平行でないことを特徴とする、逆刺付き縫合糸。
【請求項２】
前記逆刺は前記体部上で、ツイスト切り込み多重スパイラル逆刺配列（６７）、重複逆刺配列（１３５）、又はこれらの組み合わせの配列を成しており、前記逆刺のすべてが前記第１の端部と前記第２の端部のうちの一方の方向にのみ向いていることを特徴とする、請求項１に記載の逆刺付き縫合糸。
【請求項３】
前記逆刺は前記体部上で、ツイスト切り込み多重スパイラル逆刺配列（７７、７８）、重複逆刺配列（１３５）、又はこれらの組み合わせの配列を成しており、該逆刺付き縫合糸は少なくとも第１の逆刺付き部分と第２の逆刺付き部分とを有していて、
前記第１の部分の逆刺（７７、１３５）は前記第１の端部の方向にのみ向いていると共に前記第２の部分の逆刺（７８、１３５）は前記第２の端部の方向にのみ向いていることを特徴とする、請求項１に記載の逆刺付き縫合糸。
【請求項４】
前記縫合糸（１）が、生体吸収性材料、非吸収性材料、及びこれらの組み合わせからなる群より選択された材料から製作されていることを特徴とする、請求項１に記載の逆刺付き縫合糸。
【請求項５】
前記生体吸収性材料は、ポリジオキサノン、ポリラクチド、ポリグリコリド、ポリカプロラクトン、及びこれらの組み合わせからなる群より選択されていることを特徴とする、請求項４に記載の逆刺付き縫合糸。
【請求項６】
前記非吸収性材料は、ポリマー、金属、金属合金、天然繊維、及びこれらの組み合わせからなる群より選択されていることを特徴とする、請求項４に記載の逆刺付き縫合糸。
【請求項７】
前記ポリマーは、ポリアミド、ポリエステル、ポリプロピレン、ポリウレタン、ポリエーテルエステル、ポリテトラフルオロエチレン、及びこれらの組み合わせからなる群より選択されていることを特徴とする、請求項６に記載の逆刺付き縫合糸。
【請求項８】
前記逆刺は、１つ（１３５）が上に重なり、１つ（１３５）が下に重なっている少なくとも２つの隣接する逆刺（１３５）に関して、前記上に重なっている逆刺（１３５）と前記下に重なっている逆刺（１３５）の各々は１つの逆刺切り込み長さ（Ｌ）を有しており、前記上に重なっている逆刺（１３５）と前記下に重なっている逆刺（１３５）はこれらの間に、前記下に重なっている逆刺（１３５）の前記逆刺切り込み長さ（Ｌ）未満の逆刺切り込み距離（Ｐ）を有しているような重複逆刺配列（１３５）を成していることを特徴とする、請求項１に記載の逆刺付き縫合糸。
【請求項９】
前記逆刺は、１つ（１３５）が上に重なり、１つ（１３５）が下に重なっている少なくとも２つの隣接する逆刺（１３５）に関して、前記上に重なっている逆刺（１３５）と前記下に重なっている逆刺（１３５）の各々は１つの逆刺切り込み長さ（Ｌ）を有しており、前記上に重なっている逆刺（１３５）と前記下に重なっている逆刺（１３５）はこれらの間に、前記下に重なっている逆刺（１３５）の前記逆刺切り込み長さ（Ｌ）未満の逆刺切り込み距離（Ｐ）を有しているような重複逆刺配列（１３５）を成していることを特徴とする、請求項２に記載の逆刺付き縫合糸。
【請求項１０】
前記逆刺は、１つ（１３５）が上に重なり、１つ（１３５）が下に重なっている少なくとも２つの隣接する逆刺（１３５）に関して、前記上に重なっている逆刺（１３５）と前記下に重なっている逆刺（１３５）の各々は１つの逆刺切り込み長さ（Ｌ）を有しており、前記上に重なっている逆刺（１３５）と前記下に重なっている逆刺（１３５）はこれらの間に、前記下に重なっている逆刺（１３５）の前記逆刺切り込み長さ（Ｌ）未満の逆刺切り込み距離（Ｐ）を有しているような重複逆刺配列（１３５）を成していることを特徴とする、請求項３に記載の逆刺付き縫合糸。
【請求項１１】
（ｉ）第１の端部及び第２の端部と１つの直径とを有する細長い体部と、（ｉｉ）前記体部から突き出ている複数の逆刺とを有しており、各逆刺は一方向に向いていると共に、組織内において逆刺が向いている方向と反対の方向への縫合糸の動きに逆らうようにされている人や動物の組織を接続するための逆刺付き縫合糸において、
前記逆刺は前記体部上で、ツイスト切り込み多重スパイラル逆刺配列（６７、７７、７８）を成しており、該逆刺付き縫合糸（６０、７０）は、前記逆刺が縫合糸長繊維から切り起こされて該逆刺付きの縫合糸（６０、７０）を製作する際に２．５４ｃｍ（１インチ）あたり約２回から約１７回ねじられた部分を有するような縫合糸長繊維から製作されていることを特徴とする、逆刺付き縫合糸。
【請求項１２】
前記縫合糸（６０、７０）が、生体吸収性材料、非吸収性材料、及びこれらの組み合わせからなる群より選択された材料から製作されていることを特徴とする、請求項１１に記載の逆刺付き縫合糸。
【請求項１３】
前記生体吸収性材料は、ポリジオキサノン、ポリグリコリド、ポリカプロラクトン、ポリラクチド、及びこれらの組み合わせからなる群より選択されていることを特徴とする、請求項１２に記載の逆刺付き縫合糸。
【請求項１４】
前記非吸収性材料は、ポリマー、金属、金属合金、天然繊維、及びこれらの組み合わせからなる群より選択されていることを特徴とする、請求項１２に記載の逆刺付き縫合糸。
【請求項１５】
前記ポリマーは、ポリアミド、ポリエステル、ポリプロピレン、ポリウレタン、ポリエーテルエステル、ポリテトラフルオロエチレン、及びこれらの組み合わせからなる群より選択されていることを特徴とする、請求項１４に記載の逆刺付き縫合糸。
【請求項１６】
前記逆刺（６７）のすべてが前記第１の端部と前記第２の端部のうちの一方の方向にのみ向いていることを特徴とする、請求項１１に記載の逆刺付き縫合糸。
【請求項１７】
前記逆刺付き縫合糸（７０）は少なくとも第１の逆刺付き部分と第２の逆刺付き部分とを有しており、前記第１の部分の逆刺（７７）は前記第１の端部の方向にのみ向いていると共に前記第２の部分の逆刺（７８）は前記第２の端部の方向にのみ向いていることを特徴とする、請求項１１に記載の逆刺付き縫合糸。
【請求項１８】
（ｉ）第１の端部及び第２の端部と１つの直径とを有する細長い体部と、（ｉｉ）前記体部から突き出ている複数の逆刺とを有しており、各逆刺は一方向に向いていると共に、組織内においてその逆刺が向いている方向と反対の方向への縫合糸の動きに逆らうようにされている人や動物の組織を接続するための逆刺付き縫合糸において、
前記逆刺は体部上にツイスト切り込み多重スパイラル逆刺配列（６７、７７、７８）を成しており、該縫合糸（６０、７０）は約５°から約２５°の範囲にあるスパイラル角αを有していることを特徴とする、逆刺付き縫合糸。
【請求項１９】
前記縫合糸（６０、７０）が約７度から約２２度の範囲にあるスパイラル角αを有していることを特徴とする、請求項１８に記載の逆刺付き縫合糸。
【請求項２０】
前記縫合糸（６０、７０）が約１２度から約１８度の範囲にあるスパイラル角αを有していることを特徴とする、請求項１９に記載の逆刺付き縫合糸。
【請求項２１】
前記縫合糸（６０、７０）が、生体吸収性材料、非吸収性材料、及びこれらの組み合わせからなる群より選択された材料から製作されていることを特徴とする、請求項１８に記載の逆刺付き縫合糸。
【請求項２２】
前記生体吸収性材料は、ポリジオキサノン、ポリグリコリド、ポリカプロラクトン、ポリラクチド、及びこれらの組み合わせからなる群より選択されていることを特徴とする、請求項２１に記載の逆刺付き縫合糸。
【請求項２３】
前記非吸収性材料は、ポリマー、金属、金属合金、天然繊維、及びこれらの組み合わせからなる群より選択されていることを特徴とする、請求項２１に記載の逆刺付き縫合糸。
【請求項２４】
前記ポリマーは、ポリアミド、ポリエステル、ポリプロピレン、ポリウレタン、ポリエーテルエステル、ポリテトラフルオロエチレン、及びこれらの組み合わせからなる群より選択されていることを特徴とする、請求項２３に記載の逆刺付き縫合糸。
【請求項２５】
前記逆刺（６７）のすべてが前記第１の端部と前記第２の端部のうちの一方の方向にのみ向いていることを特徴とする、請求項１８に記載の逆刺付き縫合糸。
【請求項２６】
前記逆刺付き縫合糸（７０）は少なくとも第１の逆刺付き部分と第２の逆刺付き部分とを有しており、前記第１の部分の逆刺（７７）は前記第１の端部の方向にのみ向いていると共に前記第２の部分の逆刺（７８）は前記第２の端部の方向にのみ向いていることを特徴とする、請求項１８に記載の逆刺付き縫合糸。
【請求項２７】
（ｉ）第１の端部及び第２の端部と１つの直径とを有する細長い体部と、（ｉｉ）前記体部から突き出ている複数の逆刺とを有しており、各逆刺は一方向に向いていると共に、組織内において逆刺が向いている方向と反対の方向への縫合糸の動きに逆らうようにされている人や動物の組織を接続するための逆刺付き縫合糸において、
前記逆刺は、１つ（１３５）が上に重なり、１つ（１３５）が下に重なっている少なくとも２つの隣接する逆刺（１３５）に関して、前記上に重なっている逆刺が１つの下面（ＵＳ）を有し、前記下に重なっている逆刺が１つの上面（ＴＳ）を有するような重複配列を成しており、前記上に重なっている逆刺（１３５）の前記下面（ＵＳ）の一部は前記下に重なっている逆刺（１３５）の前記上面（ＴＳ）の一部から派生していることを特徴とする、逆刺付き縫合糸。
【請求項２８】
前記逆刺は、１つ（１３５）が上に重なり、１つ（１３５）が下に重なっている少なくとも２つの隣接する逆刺（１３５）に関して、前記上に重なっている逆刺（１３５）と前記下に重なっている逆刺（１３５）の各々は１つの逆刺切り込み長さ（Ｌ）を有し、前記上に重なっている逆刺（１３５）と前記下に重なっている逆刺（１３５）はこれらの間に前記下に重なっている逆刺（１３５）の前記逆刺切り込み長さ（Ｌ）未満の逆刺切り込み距離（Ｐ）を有するようにした重複逆刺配列（１３５）を成していることを特徴とする、請求項２７に記載の逆刺付き縫合糸。
【請求項２９】
前記縫合糸（１３０）が、生体吸収性材料、非吸収性材料、及びこれらの組み合わせからなる群より選択された材料から製作されていることを特徴とする、請求項２７に記載の逆刺付き縫合糸。
【請求項３０】
前記生体吸収性材料は、ポリジオキサノン、ポリグリコリド、ポリカプロラクトン、ポリラクチド、及びこれらの組み合わせからなる群より選択されていることを特徴とする、請求項２９に記載の逆刺付き縫合糸。
【請求項３１】
前記非吸収性材料は、ポリマー、金属、金属合金、天然繊維、及びこれらの組み合わせからなる群より選択されていることを特徴とする、請求項２９に記載の逆刺付き縫合糸。
【請求項３２】
前記ポリマーは、ポリアミド、ポリエステル、ポリプロピレン、ポリウレタン、ポリエーテルエステル、ポリテトラフルオロエチレン、及びこれらの組み合わせからなる群より選択されていることを特徴とする、請求項３１に記載の逆刺付き縫合糸。
【請求項３３】
前記逆刺（１３５）のすべてが前記第１の端部と前記第２の端部のうちの一方の方向にのみ向いていることを特徴とする、請求項２７に記載の逆刺付き縫合糸。
【請求項３４】
前記逆刺付き縫合糸（１３０）は少なくとも第１の逆刺付き部分と第２の逆刺付き部分とを有しており、前記第１の部分の逆刺（１３５）は前記第１の端部の方向にのみ向いていると共に前記第２の部分の逆刺（１３５）は前記第２の端部の方向にのみ向いていることを特徴とする、請求項２７に記載の逆刺付き縫合糸。
【請求項３５】
（ｉ）第１の端部及び第２の端部を有する細長い体部と、（ｉｉ）前記体部から突き出ている複数の逆刺とを有しており、各逆刺は一方向に向いていると共に、組織内において逆刺が向いている方向と反対の方向への縫合糸の動きに逆らうようにされている人や動物の組織を接続するための逆刺付き縫合糸において、
（Ｉ）前記逆刺は前記体部上で、千鳥逆刺配列（７、９、３５、３７、３９、１７、１９、４７、４９、５１、１８、２０、４８、５０、５２）、ツイスト切り込み多重スパイラル逆刺配列（６７、７７、７８）、重複逆刺配列（１３５）、ランダム逆刺配列（９７）、及びこれらの組み合わせからなる群より選択された配列を有しており、
（ＩＩ）前記逆刺は、約１４０°から約１７５°の範囲にある逆刺切り込み角度θと、縫合糸直径（ＳＤ）に対するその深度の比が約０．０５から約０．６の範囲にある逆刺切り込み深度（Ｄ）と、縫合糸直径（ＳＤ）に対するその長さの比が約０．２から約２の範囲にある逆刺切り込み長さ（Ｌ）と、縫合糸直径（ＳＤ）に対するその距離の比が約０．１から約６の範囲にある逆刺切り込み距離（Ｐ）と、波形の逆刺下面（１０８）と、弓形の逆刺基部（１１９）と、その各逆刺組がそれ以外の組の逆刺サイズと異なる逆刺サイズを有するような少なくとも２つの逆刺組（１２５、１２７）と、これらの組み合わせとからなる群より選択された構成を有することを特徴とする、逆刺付き縫合糸。
【請求項３６】
前記千鳥逆刺配列（７、９）は、前記逆刺のうちの第２の組（９）から約１８０°半径方向に離隔した前記逆刺のうちの第１の組（７）を含んでいることを特徴とする、請求項３５に記載の逆刺付き縫合糸。
【請求項３７】
前記千鳥逆刺配列（３５、３７、３９）は、前記逆刺のうちの第２の組（３７）から約１２０°半径方向に離隔した前記逆刺のうちの第１の組（３５）と、前記逆刺のうちの第３の組（３９）から約１２０°半径方向に離隔した前記逆刺のうちの前記第２の組（３７）とを含んでいることを特徴とする、請求項３５に記載の逆刺付き縫合糸。
【請求項３８】
前記縫合糸が、生体吸収性材料、非吸収性材料、及びこれらの組み合わせからなる群より選択された材料から製作されていることを特徴とする、請求項３５に記載の逆刺付き縫合糸。
【請求項３９】
前記生体吸収性材料は、ポリジオキサノン、ポリグリコリド、ポリカプロラクトン、ポリラクチド、及びこれらの組み合わせからなる群より選択されていることを特徴とする、請求項３８に記載の逆刺付き縫合糸。
【請求項４０】
前記非吸収性材料は、ポリマー、金属、金属合金、天然繊維、及びこれらの組み合わせからなる群より選択されていることを特徴とする、請求項３８に記載の逆刺付き縫合糸。
【請求項４１】
前記ポリマーは、ポリアミド、ポリエステル、ポリプロピレン、ポリウレタン、ポリエーテルエステル、ポリテトラフルオロエチレン、及びこれらの組み合わせからなる群より選択されていることを特徴とする、請求項４０に記載の逆刺付き縫合糸。
【請求項４２】
前記逆刺（７、９、３５、３７、３９、６７、１３５、９７）のすべてが前記第１の端部と前記第２の端部のうちの一方の方向にのみ向いていることを特徴とする、請求項３５に記載の逆刺付き縫合糸。
【請求項４３】
前記逆刺付き縫合糸は少なくとも第１の逆刺付き部分と第２の逆刺付き部分とを有しており、前記第１の部分の逆刺（１７、１９、４７、４９、５１、７７、１３５、９７）は前記第１の端部の方向にのみ向いていると共に前記第２の部分の逆刺（１８、２０、４８、５０、５２、７８、１３５、９７）は前記第２の端部の方向にのみ向いている、請求項３５に記載の逆刺付き縫合糸。
【請求項４４】
（ｉ）第１の端部及び第２の端部を有する細長い体部（２）と、（ｉｉ）前記体部（２）から突き出ている複数の逆刺とを有しており、各逆刺は一方向に向いていると共に、組織内において逆刺が向いている方向と反対の方向への縫合糸（１）の動きに逆らうようにされている人や動物の組織を接続するための逆刺付き縫合糸において、
（Ｉ）前記逆刺は前記体部上で千鳥逆刺配列（７、９、３５、３７、３９、１７、１９、４７、４９、５１、１８、２０、４８、５０、５２）を備えた配列を有しており、
（ＩＩ）前記逆刺は、（ｉ）約１４０°から約１７５°の範囲にある逆刺切り込み角度θと、（ｉｉ）縫合糸直径（ＳＤ）に対するその深度の比が約０．０５から約０．６の範囲にある逆刺切り込み深度（Ｄ）と、（ｉｉｉ）縫合糸直径（ＳＤ）に対するその長さの比が約０．２から約２の範囲にある逆刺切り込み長さ（Ｌ）と、（ｉｖ）縫合糸直径（ＳＤ）に対するその距離の比が約０．１から約６の範囲にある逆刺切り込み距離（Ｐ）とを備えた構成を有することを特徴とする、逆刺付き縫合糸。
【請求項４５】
前記縫合糸（１、１０、３０、４０）が、生体吸収性材料、非吸収性材料、及びこれらの組み合わせからなる群より選択された材料から製作されていることを特徴とする、請求項４４に記載の逆刺付き縫合糸。
【請求項４６】
前記生体吸収性材料は、ポリジオキサノン、ポリグリコリド、ポリカプロラクトン、ポリラクチド、及びこれらの組み合わせからなる群より選択されていることを特徴とする、請求項４５に記載の逆刺付き縫合糸。
【請求項４７】
前記非吸収性材料は、ポリマー、金属、金属合金、天然繊維、及びこれらの組み合わせからなる群より選択されていることを特徴とする、請求項４５に記載の逆刺付き縫合糸。
【請求項４８】
前記ポリマーは、ポリアミド、ポリエステル、ポリプロピレン、ポリウレタン、ポリエーテルエステル、ポリテトラフルオロエチレン、及びこれらの組み合わせからなる群より選択されていることを特徴とする、請求項４７に記載の逆刺付き縫合糸。
【請求項４９】
前記逆刺（７、９、３５、３７、３９）のすべてが前記第１の端部と前記第２の端部のうちの一方の方向にのみ向いていることを特徴とする、請求項４４に記載の逆刺付き縫合糸。
【請求項５０】
前記逆刺付き縫合糸（１０、４０）は少なくとも第１の逆刺付き部分と第２の逆刺付き部分とを有しており、前記第１の部分の逆刺（１７、１９、４７、４９、５１）は前記第１の端部の方向にのみ向いていると共に前記第２の部分の逆刺（１８、２０、４８、５０、５２）は前記第２の端部の方向にのみ向いていることを特徴とする、請求項４４に記載の逆刺付き縫合糸。
【請求項５１】
（ｉ）第１の端部及び第２の端部を有する細長い体部と、（ｉｉ）前記体部から突き出ている複数の逆刺とを有しており、各逆刺は一方向に向いていると共に、組織内において逆刺が向いている方向と反対の方向への縫合糸の動きに逆らうようにされている人や動物の組織を接続するための逆刺付き縫合糸において、
（Ｉ）前記逆刺は前記体部上でツイスト切り込み多重スパイラル逆刺配列（６７、７７、７８）を備えた配列を有すると共に、該縫合糸（６０、７０）は約５°から約２５°の範囲にあるスパイラル角αを有しており、
（ＩＩ）前記逆刺は、（ｉ）約１４０°から約１７５°の範囲にある逆刺切り込み角度θと、（ｉｉ）縫合糸直径（ＳＤ）に対するその深度の比が約０．０５から約０．６の範囲にある逆刺切り込み深度（Ｄ）と、（ｉｉｉ）縫合糸直径（ＳＤ）に対するその長さの比が約０．２から約２の範囲にある逆刺切り込み長さ（Ｌ）と、（ｉｖ）縫合糸直径（ＳＤ）に対するその距離の比が約０．１から約６の範囲にある逆刺切り込み距離（Ｐ）とを備えた構成を有することを特徴とする、逆刺付き縫合糸。
【請求項５２】
前記縫合糸（６０、７０）が、生体吸収性材料、非吸収性材料、及びこれらの組み合わせからなる群より選択された材料から製作されていることを特徴とする、請求項５１に記載の逆刺付き縫合糸。
【請求項５３】
前記生体吸収性材料は、ポリジオキサノン、ポリグリコリド、ポリカプロラクトン、ポリラクチド、及びこれらの組み合わせからなる群より選択されていることを特徴とする、請求項５２に記載の逆刺付き縫合糸。
【請求項５４】
前記非吸収性材料は、ポリマー、金属、金属合金、天然繊維、及びこれらの組み合わせからなる群より選択されていることを特徴とする、請求項５２に記載の逆刺付き縫合糸。
【請求項５５】
前記ポリマーは、ポリアミド、ポリエステル、ポリプロピレン、ポリウレタン、ポリエーテルエステル、ポリテトラフルオロエチレン、及びこれらの組み合わせからなる群より選択されていることを特徴とする、請求項５４に記載の逆刺付き縫合糸。
【請求項５６】
前記逆刺（６７）のすべてが前記第１の端部と前記第２の端部のうちの一方の方向にのみ向いていることを特徴とする、請求項５１に記載の逆刺付き縫合糸。
【請求項５７】
前記逆刺付き縫合糸（７０）は少なくとも第１の逆刺付き部分と第２の逆刺付き部分とを有しており、前記第１の部分の逆刺（７７）は前記第１の端部の方向にのみ向いていると共に前記第２の部分の逆刺（７８）は前記第２の端部の方向にのみ向いていることを特徴とする、請求項５１に記載の逆刺付き縫合糸。
【請求項５８】
（ｉ）第１の端部及び第２の端部を有する細長い体部と、（ｉｉ）前記体部から突き出ている複数の逆刺とを有しており、各逆刺は一方向に向いていると共に、組織内において逆刺が向いている方向と反対の方向への縫合糸の動きに逆らうようにされている人や動物の組織を接続するための逆刺付き縫合糸において、
（Ｉ）前記逆刺は前記体部上で重複逆刺配列（１３５）を備えた配列を有しており、
（ＩＩ）前記逆刺は、（ｉ）約１４０°から約１７５°の範囲にある逆刺切り込み角度θと、（ｉｉ）縫合糸直径（ＳＤ）に対するその深度の比が約０．０５から約０．６の範囲にある逆刺切り込み深度（Ｄ）と、（ｉｉｉ）縫合糸直径（ＳＤ）に対するその長さの比が約０．２から約２の範囲にある逆刺切り込み長さ（Ｌ）と、（ｉｖ）縫合糸直径（ＳＤ）に対するその距離の比が約０．１から約６の範囲にある逆刺切り込み距離（Ｐ）とを備えた構成を有することを特徴とする、逆刺付き縫合糸。
【請求項５９】
前記縫合糸（１３０）が、生体吸収性材料、非吸収性材料、及びこれらの組み合わせからなる群より選択された材料から製作されていることを特徴とする、請求項５８に記載の逆刺付き縫合糸。
【請求項６０】
前記生体吸収性材料は、ポリジオキサノン、ポリグリコリド、ポリカプロラクトン、ポリラクチド、及びこれらの組み合わせからなる群より選択されていることを特徴とする、請求項５９に記載の逆刺付き縫合糸。
【請求項６１】
前記非吸収性材料は、ポリマー、金属、金属合金、天然繊維、及びこれらの組み合わせからなる群より選択されていることを特徴とする、請求項５９に記載の逆刺付き縫合糸。
【請求項６２】
前記ポリマーは、ポリアミド、ポリエステル、ポリプロピレン、ポリウレタン、ポリエーテルエステル、ポリテトラフルオロエチレン、及びこれらの組み合わせからなる群より選択されていることを特徴とする、請求項６１に記載の逆刺付き縫合糸。
【請求項６３】
前記逆刺（１３５）のすべてが前記第１の端部と前記第２の端部のうちの一方の方向にのみ向いていることを特徴とする、請求項５８に記載の逆刺付き縫合糸。
【請求項６４】
前記逆刺付き縫合糸（１３０）は少なくとも第１の逆刺付き部分と第２の逆刺付き部分とを有しており、前記第１の部分の逆刺（１３５）は前記第１の端部の方向にのみ向いていると共に前記第２の部分の逆刺（１３５）は前記第２の端部の方向にのみ向いていることを特徴とする、請求項５８に記載の逆刺付き縫合糸。
【請求項６５】
（ｉ）第１の端部及び第２の端部を有する細長い体部と、（ｉｉ）前記体部から突き出ている複数の逆刺とを有しており、各逆刺は一方向に向いていると共に、組織内において逆刺が向いている方向と反対の方向への縫合糸の動きに逆らうようにされている人や動物の組織を接続するための逆刺付き縫合糸において、
（Ｉ）前記逆刺は前記体部上でランダム逆刺配列（９７）を備えた配列を有しており、
（ＩＩ）前記逆刺は、（ｉ）約１４０°から約１７５°の範囲にある逆刺切り込み角度θと、（ｉｉ）縫合糸直径（ＳＤ）に対するその深度の比が約０．０５から約０．６の範囲にある逆刺切り込み深度（Ｄ）と、（ｉｉｉ）縫合糸直径（ＳＤ）に対するその長さの比が約０．２から約２の範囲にある逆刺切り込み長さ（Ｌ）と、（ｉｖ）縫合糸直径（ＳＤ）に対するその距離の比が約０．１から約６の範囲にある逆刺切り込み距離（Ｐ）とを備えた構成を有することを特徴とする、逆刺付き縫合糸。
【請求項６６】
前記縫合糸（９０）が、生体吸収性材料、非吸収性材料、及びこれらの組み合わせからなる群より選択された材料から製作されていることを特徴とする、請求項６５に記載の逆刺付き縫合糸。
【請求項６７】
前記生体吸収性材料は、ポリジオキサノン、ポリグリコリド、ポリカプロラクトン、ポリラクチド、及びこれらの組み合わせからなる群より選択されていることを特徴とする、請求項６６に記載の逆刺付き縫合糸。
【請求項６８】
前記非吸収性材料は、ポリマー、金属、金属合金、天然繊維、及びこれらの組み合わせからなる群より選択されていることを特徴とする、請求項６６に記載の逆刺付き縫合糸。
【請求項６９】
前記ポリマーは、ポリアミド、ポリエステル、ポリプロピレン、ポリウレタン、ポリエーテルエステル、ポリテトラフルオロエチレン、及びこれらの組み合わせからなる群より選択されていることを特徴とする、請求項６８に記載の逆刺付き縫合糸。
【請求項７０】
前記逆刺（９７）のすべてが前記第１の端部と前記第２の端部のうちの一方の方向にのみ向いていることを特徴とする、請求項６５に記載の逆刺付き縫合糸。
【請求項７１】
前記逆刺付き縫合糸（９０）は少なくとも第１の逆刺付き部分と第２の逆刺付き部分とを有しており、前記第１の部分の逆刺（９７）は前記第１の端部の方向にのみ向いていると共に前記第２の部分の逆刺（９７）は前記第２の端部の方向にのみ向いていることを特徴とする、請求項６５に記載の逆刺付き縫合糸。
【請求項７２】
（ｉ）第１の端部及び第２の端部と１つの直径とを有する細長い体部と、（ｉｉ）前記体部から突き出ている複数の逆刺とを有しており、各逆刺は一方向に向いていると共に、組織内において逆刺が向いている方向と反対の方向への縫合糸の動きに逆らうようにされている人や動物の組織を接続するための逆刺付き縫合糸（１）において、
前記逆刺は前記体部上で、該縫合糸が互いに対してオフセットさせた少なくとも２組の逆刺（７、９、１７、１９、１８、２０）を有しており、各逆刺（７、９、１７、１９、１８、２０）は１つの基部を有しており、第１の組の逆刺（７、１７、１８）は該縫合糸上で長手方向に整列しており、第２の組の逆刺（９、１９、２０）は該縫合糸上で長手方向に整列しており、該縫合糸と直交し、該縫合糸を横方向に切り込み、且つ前記第１組の逆刺（７、１７、１８）の基部と交差する面が前記第２組の逆刺（９、１９、２０）の基部と交差しないような千鳥状にした千鳥逆刺配列（７、９、１７、１９、１８、２０）有することを特徴とする、逆刺付き縫合糸。
【請求項７３】
前記逆刺（７、９）のすべてが前記第１の端部と前記第２の端部のうちの一方の方向にのみ向いていることを特徴とする、請求項７２に記載の逆刺付き縫合糸。
【請求項７４】
前記逆刺付き縫合糸は少なくとも第１の逆刺付き部分と第２の逆刺付き部分とを有しており、前記第１の部分の逆刺（１７、１９）は前記第１の端部の方向にのみ向いていると共に前記第２の部分の逆刺（１８、２０）は前記第２の端部の方向にのみ向いていることを特徴とする、請求項７２に記載の逆刺付き縫合糸。
【請求項７５】
前記縫合糸（１、１０）が、生体吸収性材料、非吸収性材料、及びこれらの組み合わせからなる群より選択された材料から製作されていることを特徴とする、請求項７２に記載の逆刺付き縫合糸。
【請求項７６】
前記生体吸収性材料は、ポリジオキサノン、ポリラクチド、ポリグリコリド、ポリカプロラクトン、及びこれらの組み合わせからなる群より選択されていることを特徴とする、請求項７５に記載の逆刺付き縫合糸。
【請求項７７】
前記非吸収性材料は、ポリマー、金属、金属合金、天然繊維、及びこれらの組み合わせからなる群より選択されていることを特徴とする、請求項７５に記載の逆刺付き縫合糸。
【請求項７８】
前記ポリマーは、ポリアミド、ポリエステル、ポリプロピレン、ポリウレタン、ポリテトラフルオロエチレン、ポリエーテルエステル、及びこれらの組み合わせからなる群より選択されていることを特徴とする、請求項７７に記載の逆刺付き縫合糸。